(57)【要約】【課題】棒状の製品の外表面に施す加工作業の効率の低下とコストの高騰を防止できる棒状製品支持治具を提供する。【解決手段】棒状製品支持治具１はベース台１５と一対の支持部１６とを備えている。支持部１６はベース台１５に互いに接離自在に支持されている。支持部１６は一対の支持片２１を備えている。支持片２１は一端部２１ａを中心として回転自在に連結されている。支持片２１は一端部２１ａを中心として回転することで他端部２１ｂが互いに接離する。他端部２１ｂには段部２５が設けられておいる。段部２５は一端部２１ａから他端部２１ｂに向かうにしたがって一対の支持片２１ａ間の間隔を段階的に拡げている。支持部１６は互いに独立して一端部２１ａを中心として支持片２１を回転する。支持部１６は支持片２１間に棒状の製品の端部を位置付けて該棒状の製品を支持する。【選択図】      図７
2005059864.tif 000002
【特許請求の範囲】
【請求項１】
棒状の製品の両端部を支持して、該棒状の製品の上面を水平方向に平行な状態で、棒状の製品を支持する棒状製品支持治具において、
前記棒状の製品の端部を支持する支持部を一対備え、
前記支持部は、それぞれ、一端部を中心として回転自在に連結されかつ前記一端部を中心として回転することで他端部が互いに接離する一対の支持片を備え、一対の支持片間に前記棒状の製品の端部を位置付けて、該棒状の製品を支持するとともに、
一対の支持部は、互いに独立して、一対の支持片が一端部を中心として回転することを特徴とする棒状製品支持治具。
【請求項２】
前記一対の支持部を互いに接離自在に支持する接離支持手段を備えたことを特徴とする請求項１記載の棒状製品支持治具。
【請求項３】
前記支持部それぞれの一対の支持片の他端部には、支持片の一端部から他端部に向かうにしたがって、支持片間の間隔を段階的に拡げる段部が形成されていることを特徴とする請求項１または請求項２記載の棒状製品支持治具。
【請求項４】
前記支持部それぞれの一対の支持片を互いに連動して一端部を中心として回転させる回転連動手段と、
前記回転連動手段と接続して、該回転連動手段に一対の支持片の一端部を中心として回転させる回転操作手段と、を備えたことを特徴とする請求項１ないし請求項３のうちいずれか一項に記載の棒状製品支持治具。
【請求項５】
前記回転連動手段は、互いに噛み合いかつそれぞれが支持片の一端部と連動して回転する一対の歯車を備え、
前記回転操作手段は、前記一対の歯車のうち一方と連動して回転するウォームホイールと、該ウォームホイールと噛み合うウォームと、を備えたことを特徴とする請求項４記載の棒状製品支持治具。
【発明の詳細な説明】
【０００１】
【発明の属する技術分野】
本発明は、棒状の製品の表面に各種の加工を施す際などに、該棒状の製品の上面が水平方向と平行な状態で、該棒状の製品を支持する棒状製品支持治具に関する。
【０００２】
【従来の技術】
棒状の製品の表面にラベルを塗布や貼付したり、印字したり、画像検査装置などでこれらのラベルや印字して形成された文字などの印の良否を検査する際には、上面が水平方向と平行な状態で前記棒状の製品をする支持治具を用いる。なお、前述した塗布や貼付したり、印字したり、画像検査装置などでこれらのラベルや印字して形成された文字などの印の良否を検査するなどの作業は、棒状の製品の表面に施す各種の加工をなしている。
【０００３】
前述した支持治具は、長手方向が水平方向に沿う状態で棒状の製品を支持する。また、支持治具は、上面が水平方向と平行な状態で棒状の製品を支持する。そして、水平方向に平行な棒状の製品の上面に前述した各種の加工を施す。こうして、棒状の製品の表面に各種の加工を施してきた。
【０００４】
【発明が解決しようとする課題】
前述した棒状の製品は、例えば、円柱、円錐、切頭円錐状、角柱、角錐、切頭角錐状などの各種の形状をなしているとともに、表面に突起や凹部などが形成されているものも存在する。このため、前述した支持治具は、長手方向が水平方向に沿いかつ上面が水平方向と平行な状態で棒状の製品を支持するために、棒状の製品の外形に対応した形状をなしている。このため、支持治具は、棒状の製品毎に対応しており、対応する棒状の製品以外の棒状の製品を上面が水平方向と平行な状態で支持することが困難である。
【０００５】
このため、前述した棒状の製品に各種の加工を施す加工装置などでは、加工を施す棒状の製品が変更になると、支持治具を交換する必要が生じる。このため、棒状の製品に加工を施す作業の効率が低下する。また、棒状の製品毎に対応した支持治具を設けておく必要が生じ、前述した加工装置の交換用の支持治具を格納しておくスペースや、支持治具の品番などを管理するためにかかる手間が増加する傾向であった。したがって、棒状の製品に加工を施す作業にかかるコストが高騰する傾向であった。
【０００６】
したがって、本発明の目的の一例は、棒状の製品の表面に施す加工作業の効率の低下とコストの高騰を防止できる棒状製品支持治具を提供することにある。
【０００７】
【課題を解決するための手段】
前記課題を解決し目的を達成するために、請求項１に記載の本発明の棒状製品支持治具は、棒状の製品の両端部を支持して、該棒状の製品の上面を水平方向に平行な状態で、棒状の製品を支持する棒状製品支持治具において、前記棒状の製品の端部を支持する支持部を一対備え、前記支持部は、それぞれ、一端部を中心として回転自在に連結されかつ前記一端部を中心として回転することで他端部が互いに接離する一対の支持片を備え、一対の支持片間に前記棒状の製品の端部を位置付けて、該棒状の製品を支持するとともに、一対の支持部は、互いに独立して、一対の支持片が一端部を中心として回転することを特徴としている。
【０００８】
【発明の実施の形態】
この発明の棒状製品支持治具は、棒状の製品の両端部を支持する支持部それぞれが一端部を中心として回転自在な支持片を一対備えている。そして、棒状製品支持治具は、各支持部が一対の支持片間に棒状の製品の端部を位置付けることで、棒状の製品を支持する。支持部は、互いに独立して、一対の支持片が一端部を中心として回転する。
【０００９】
この発明の棒状製品支持治具は、一端部を中心として支持片を回転して、支持片の他端部間の間隔を、支持部毎に調整することで、例えば、円柱、円錐、切頭円錐状、角柱、角錐、切頭角錐状などの各種の形状をなしている棒状の製品を、上面が水平方向と平行な状態に支持できるようにしたものである。
【００１０】
また、この発明の棒状製品支持治具は、接離支持手段が一対の支持部を接離させる。こうすることで、支持部が、例えば棒状の製品の表面に設けられた突起などをさけて、棒状の製品の端部を支持できるようにしても良い。
【００１１】
この発明の棒状製品支持治具は、支持片の他端部に段部を設けても良い。こうすることで、支持片の段部より他端部寄りの箇所や、一端部寄りの箇所で、棒状の製品を支持することができる。こうすることで、棒状の製品を様々な姿勢で支持できるようにしている。
【００１２】
また、この発明の棒状製品支持治具において、一対の支持片を互いに連動して回転させる回転連動手段と、回転連動手段に支持片を回転させる回転操作手段とを設けても良い。
【００１３】
さらに、回転連動手段が互いに噛み合う一対の歯車を備え、回転操作手段が一方の歯車と連動して回転するウォームホイールを有したウォームギヤを備えても良い。
【００１４】
【実施例】
以下、本発明の一実施例にかかる棒状製品支持治具（以下、単に支持治具と呼ぶ）１を、図１ないし図２４を参照して説明する。図２などに示す支持治具１は、図１に示す棒状製品加工装置２（以下、単に加工装置と呼ぶ）を構成する。加工装置２は、図１９ないし図２４に示す棒状の製品３の表面３ａにラベル４を貼るなどの各種の加工を施す。棒状の製品３は、例えば、図１９ないし２２に示す柱状のものや、図２３及び図２４に示す切頭錐（錐台）状のものや、図示しない錐状のものなどが存在する。このように、棒状の製品３は、多種多様な外形のものが存在する。
【００１５】
図１９は、円筒状の棒状の製品３を示し、図２０は、三角柱状の棒状の製品３を示し、図２１は、四角柱状の棒状の製品３を示している。図２２は、表面３ａに突起１２が形成された円筒状の棒状の製品３を示している。図２３は、切頭円錐（円錐台）状の棒状の製品３を示し、図２４は、切頭三角錐（三角錐台）状の棒状の製品３を示している。他に、棒状の製品３は、多角柱状のものや、切頭角錐（角錐台）状のものや、角錐状のものや、円錐状のものや、円柱と円錐台と円錐と多角柱と切頭角錐（角錐台）と角錐のうち複数組み合わされたものが存在する。
【００１６】
図１に示す加工装置２は、前述した多種多様な外形の棒状の製品３にラベル４などを貼り付けて、貼り付けたラベル４の良否を判定する。なお、ラベル４には、図１９ないし図２４に示すように、棒状の製品３の品番などを示す印５などが形成されている。
【００１７】
加工装置２は、図１に示すように、ベルトコンベア６と、複数の前述した支持治具１と、載置ユニット７と、ラベル貼りユニット８と、検査ユニット９などを備えている。ベルトコンベア６は、互いに間隔をあけて配された一対のベルト車と、一対のベルト車に掛け渡された無端環状のベルト１０と、を備えている。
【００１８】
ベルト１０は、表面に前述した支持治具１を等間隔に複数取り付けている。ベルトコンベア６は、ベルト車などが回転して、一対のベルト車間にベルト１０を循環させる。ベルトコンベア６は、ベルト１０を循環させることで、支持治具１を、載置ユニット７とラベル貼りユニット８と検査ユニット９とに順に搬送する。
【００１９】
支持治具１の詳細な構成は、後述する。支持治具１は、後述の支持片２１各々に棒状の製品３の端部３ｂを支持する。支持治具１は、長手方向が水平方向に沿いかつ上面３ｃが水平方向と平行な状態に棒状の製品３を支持する。なお、上面３ｃとは、棒状の製品３が支持治具１に支持された際に、棒状の製品３の長手方向に直交する断面において、最も上方に位置する箇所を、棒状の製品３の長手方向に沿って結んで形成される線または面である。
【００２０】
載置ユニット７は、図示しない製品ストック部から棒状の製品３を一つ取り出して、支持治具１上に置く。ラベル貼りユニット８は、支持治具１に支持された棒状の製品３の表面３ａに、前述したラベル４を貼る。検査ユニット９は、撮像手段としての周知のＣＣＤ（Ｃｈａｒｇｅ  Ｃｏｕｐｌｅｄ  Ｄｅｖｉｃｅ）カメラ１１と、図示しない画像処理ユニットなどを備えている。
【００２１】
ＣＣＤカメラ１１は、棒状の製品３の表面３ａに貼られたラベル４などを撮像する。画像処理ユニットは、撮像して得たラベル４の画像に各種の画像処理を施して、棒状の製品３の表面３ａに貼られたラベル４の良否を判定する。
【００２２】
棒状の製品３にラベル４などを貼り付ける作業と、貼り付けたラベル４の良否を判定する作業は、本発明に記した棒状の製品３の表面３ａに施す加工作業をなしている。なお、本発明では、加工装置２は、棒状の製品３の表面３ａを印字するなどして、前述した印５を棒状の製品３の表面３ａに形成しても良い。棒状の製品３の表面３ａを印字する作業も、本発明に記した棒状の製品３の表面３ａに施す加工作業をなしている。
【００２３】
支持治具１は、図２ないし図７に示すように、ベース台１５と、一対の支持部１６を備えている。ベース台１５の平面形状は、図８に示すように矩形状に形成されている。ベース台１５は、ベルトコンベア６のベルト１０の表面に取り付けられる。ベース台１５の長手方向と、ベルトコンベア６のベルト１０の移動方向とは、互いに直交する。
【００２４】
ベース台１５には、接離支持手段としてのレール１７が取り付けられている。レール１７は、ベース台１５の長手方向に沿って支持部１６を移動自在に支持する。レール１７は、ベース台１５の長手方向に沿って支持部１６を移動自在にして、一対の支持部１６を互いに接離自在に支持する。なお、接離とは、一対の支持部１６が互いに近づいたり互いに離れることである。
【００２５】
また、ベース台１５には、位置決め溝１８が複数設けられている。位置決め溝１８は、図９に示すように、ベース台１５の上面から凹に形成されている。位置決め溝１８は、直線状に形成されている。位置決め溝１８の長手方向は、ベース台１５の長手方向に対し直交している。複数の位置決め溝１８は、ベース台１５の長手方向に沿って互いに間隔をあけて配されている。位置決め溝１８は、断面円弧状に形成されている。
【００２６】
位置決め溝１８には、支持部１６の後述のボールプランジャ２２の玉２７が係合する。位置決め溝１８は、ボールプランジャ２２の玉２７が係合することで、支持部１６を位置決めする。
【００２７】
一対の支持部１６のうち一方は、棒状の製品３の一端部３ｂを支持し、他方は、棒状の製品３の他端部３ｂを支持する。これらの支持部１６の構成は、等しい。支持部１６は、図２ないし図７に示すように、それぞれ、可動ベース１９と、支持部材２０と、一対の支持片２１と、一対のボールプランジャ２２と、回転連動手段としての回転連動部２３と、回転操作手段としての回転操作部２４とを備えている。可動ベース１９は、平板状に形成されている。可動ベース１９は、レール１７により、ベース台１５の長手方向に沿って移動自在に支持されている。
【００２８】
支持部材２０は、可動ベース１９から上方に向かって立設している。一対の支持片２１は、それぞれ、厚手の板状に形成されている。一対の支持片２１は、幅方向の一端部２１ａが互いに回転自在に支持部材２０により連結されている。一対の支持片２１は、一端部２１ａを中心として回転することで、他端部２１ｂが互いに接離する。一対の支持片２１は、他端部２１ｂが互いに近づいた状態で、支持部材２０即ち可動ベース１９から上方に立設した状態になる。又、一端部２１ａが下方に位置し、他端部２１ｂが下方に位置する。
【００２９】
このため、一対の支持片２１は、一端部２１ａを中心として回転することで、他端部２１ｂ間の間隔が変更自在になっている。図示例では、支持片２１は、一端部２１ａを中心として回転することで、図７中実線で示す位置と図７中に二点鎖線で示す位置とに亘って変位自在となっている。又、一対の支持部１６は、互いに独立して一端部２１ａを中心として支持片２１を回転することができる。
【００３０】
各支持片２１の他端部２１ｂには、段部２５が設けられている。段部２５は、一端部２１ａから他端部２１ｂに向かうにしたがって一対の支持片２１間の間隔を段階的に拡げるように、支持片２１の他端部２１ｂの互いに相対する表面２１ｃなどを切り欠いている。段部２５は、各支持片２１の表面２１ｃに対し直交する方向に沿っている。このため、段部２５より他端部２１ｂ寄りの箇所での支持片２１間の間隔は、段部２５より一端部２１ａ寄りの箇所での支持片２１間の間隔より大きくなっている。
【００３１】
一対の支持片２１は、他端部２１ｂ間に棒状の製品３を位置付けて（挟んで）、この棒状の製品３の端部３ｂを支持する。このとき、支持部１６は、図１３に示すように、段部２５上に位置付けて、棒状の製品３を支持できる。また、支持部１６は、図１４に示すように、段部２５より一端部２１ａ寄りの箇所即ち表面２１ｃ間に位置付けて、棒状の製品３を支持できる。
【００３２】
ボールプランジャ２２は、可動ベース１９の幅方向の両端部に設けられている。一対のボールプランジャ２２は、互いの間に支持部１６を位置付けている。ボールプランジャ２２は、図７に示すように、可動ベース１９を貫通した孔２６と、玉２７と、コイルばね２８と、ねじ部品２９などを備えている。
【００３３】
玉２７は、孔２６内に挿入されており、この孔２６内を通ってベース台１５側に向かって可動ベース１９から脱落することが規制されている。また、玉２７は、可動ベース１９のベース台１５側の底面１９ａからベース台１５側に向かって突出している。玉２７は、位置決め溝１８に係合する。
【００３４】
コイルばね２８は、孔２６内に挿入されており、玉２７の支持部材２０側に配されている。コイルばね２８は、玉２７をベース台１５に向かって付勢している。ねじ部品２９は、孔２６内に支持部材２０側即ち前記底面１９ａの裏側から挿入されている。ねじ部品２９は、孔２６内から玉２７とコイルばね２８とが抜け出ることを防止している。ねじ部品２９にはナット３０が螺合している。ねじ部品２９は、ナット３０により可動ベース１９から脱落することが規制されている。
【００３５】
ボールプランジャ２２は、底面１９ａからベース台１５に向かって付勢された玉２７が、任意の位置決め溝１８に係合することで、可動ベース１９即ち支持部１６をベース台１５に位置決めする。また、ボールプランジャ２２は、コイルばね２８の付勢力に抗して、可動ベース１９即ち支持部１６がベース台１５の長手方向に沿ってスライドされると、玉２７が転動して位置決め溝１８内から抜け出る。ボールプランジャ２２は、コイルばね２８の付勢力に抗して、可動ベース１９即ち支持部１６がベース台１５の長手方向に沿ってスライドされることで、可動ベース１９即ち支持部１６がベース台１５の長手方向に沿ってスライドすることを許容する。
【００３６】
回転連動部２３は、二対の歯車３１ａ，３１ｂを備えている。このため、回転連動部２３は、一対の歯車３１ａ，３１ｂを備えている。歯車３１ａ，３１ｂは、支持片２１の一端部２１ａの両端に取り付けられている。歯車３１ａ，３１ｂは、支持片２１の一端部２１ａととも（一体）に回転自在である。このため、歯車３１ａ，３１ｂは、支持片２１の一端部２１ａと連動して回転する。互いに異なる支持片２１の一端部２１ａに取り付けられた歯車３１ａ，３１ｂは、互いに噛み合っている。このため、一対の歯車３１ａ，３１ｂは、互いに噛み合っている。このため、二対の歯車３１ａ，３１ｂ即ち回転連動部２３は、一対の支持片２１を互いに連動して、一端部２１ａを中心として回転させる。
【００３７】
回転操作部２４は、ウォームギヤ３２を備えている。ウォームギヤ３２は、ウォームホイール３３と、ウォーム３４を備えている。ウォームホイール３３は、前述した歯車３１ａ，３１ｂのうち一つに固定されている。このため、ウォームホイール３３は、一対の歯車３１ａ，３１ｂのうち一方と連動して回転する。ウォーム３４は、ウォームホイール３３と噛み合っている。このため、回転操作部２４は、回転連動部２３と接続している。ウォーム３４は、可動ベース１９に回転自在に支持されている。このため、回転操作部２４は、ウォーム３４を回転することで、回転連動部２３の一対の歯車３１ａ，３１ｂを回転させ、一端部２１ａを中心として一対の支持片２１を回転させる。
【００３８】
前述した構成の加工装置２で、棒状の製品３の表面３ａにラベル４を貼ったり、貼ったラベル４を検査する際には、棒状の製品３の品番即ち外形に応じて、支持治具１の支持部１６をボールプランジャ２２のコイルばね２８の付勢力に抗してベース台１５の長手方向に沿ってスライドさせる。そして、所定の位置決め溝１８に玉２７を係合させて、一対の支持部１６間の距離を調整する。なお、図２及び図４は、一対の支持部１６が最も近づいた状態を示しており、図５は、一対の支持部１６が最も離れた状態を示している。
【００３９】
また、棒状の製品３の品番即ち外形に応じて、各支持部１６の回転操作部２４のウォーム３４を回転して、一対の歯車３１ａ，３１ｂ即ち一対の支持片２１を、一端部２１ａを中心として回転させる。そして、一対の支持部１６で両端部３ｂを支持した棒状の製品３の上面３ｃが水平方向と平行になるように、各支持部１６の一対の支持片２１の他端部２１ｂ間の間隔を調整する。
【００４０】
そして、前述した加工装置２は、載置ユニット７で支持治具１上に棒状の製品３を置き、支持治具１上の棒状の製品３にラベル４を貼り、貼ったラベル４の良否を判定する。加工装置２は、ラベル４を貼るなどの表面３ａに加工を施す棒状の製品３の外形が変更になると、各支持治具１の支持部１６間の距離と、支持部１６の一対の支持片２１の他端部２１ｂ間の間隔とを調整する。支持治具１は、上面３ｃが水平方向と平行な状態で棒状の製品３を支持する。
【００４１】
支持治具１は、例えば、円柱状の棒状の製品３を支持する際には、図１０及び図１１に示すように、支持部１６の支持片２１の他端部２１ｂ間の間隔を等しくして、上面３ｃが水平方向と平行な状態で棒状の製品３を支持する。支持治具１は、同様に、三角柱、四角柱状の棒状の製品３を支持する際には、図１２ないし図１４に示すように、支持部１６の支持片２１の他端部２１ｂ間の間隔を等しくして、上面３ｃが水平方向と平行な状態で棒状の製品３を支持する。
【００４２】
また、特に、支持治具１は、四角柱（角柱又は角錐）状の棒状の製品３を支持する際には、図１３に示すように、支持片２１の段部２５上に棒状の製品３を位置付けて、該棒状の製品３の平面部が上方に位置するように、棒状の製品３を支持できる。支持治具１は、図１４に示すように、支持片２１の表面２１ｃ間に棒状の製品３を位置付けて、該棒状の製品３の角部が上方に位置するように、棒状の製品３を支持できる。
【００４３】
さらに、支持治具１は、例えば、切頭円錐状の棒状の製品３を支持する際には、図１５及び図１６に示すように、一対の支持部１６の支持片２１の他端部２１ｂ間の間隔を互いに異ならせて、上面３ｃが水平方向と平行な状態で棒状の製品３を支持する。支持治具１は、同様に、三角錐などの角錐状の棒状の製品３を支持する際には、図１７に示すように、支持部１６の支持片２１の他端部２１ｂ間の間隔を互いに異ならせて、上面３ｃが水平方向と平行な状態で棒状の製品３を支持する。支持治具１は、円錐状、角錐状の棒状の製品３を支持する際も、同様に、一対の支持部１６の支持片２１の他端部２１ｂ間の間隔を互いに異ならせて、上面３ｃが水平方向と平行な状態で棒状の製品３を支持する。
【００４４】
また、支持治具１は、表面に突起１２などが形成された棒状の製品３を支持する際には、支持部１６間の距離を調整する。そして、例えば、図１８に示すように、支持部１６と突起１２とが干渉しない状態（支持部１６が突起１２をさけた状態）で、上面３ｃが水平方向と平行な状態で棒状の製品３を支持する。
【００４５】
本実施例によれば、棒状の製品３の両端部３ｂを支持する支持部１６が、それぞれ一端部２１ａを中心として回転自在に連結された一対の支持片２１を備えている。支持片２１は、一端部２１ａを中心として回転することで、他端部２１ｂが互いに接離する。支持片２１は、支持片２１間に棒状の製品３の端部３ｂを位置付けて、該棒状の製品３を支持する。
【００４６】
また、支持部１６は、互いに独立して、支持片２１が一端部２１ａを中心として回転する。このため、支持治具１は、一端部２１ａを中心として支持片２１を回転して、支持片２１の他端部２１ｂ間の間隔を、支持部１６毎に調整することができる。このため、支持治具１は、支持部１６毎に支持片２１の他端部２１ｂ間の間隔を調整して、例えば、円柱、円錐、切頭円錐状、角柱、角錐、切頭角錐状などの各種の形状をなしている棒状の製品３を、長手方向が水平方向に沿いかつ上面３ｃが水平方向と平行な状態に支持できる。
【００４７】
このため、支持治具１は、支持する棒状の製品３の形状が変更になっても、交換する必要が生じない。このため、棒状の製品３の表面３ａに各種の加工を施す作業の効率が低下することを防止できる。また、棒状の製品３の形状に応じて、支持治具１を複数種設ける必要がないので、該支持治具１を格納しておくためにかかるスペースや、支持治具１の品番を管理するためにかかる手間が増加することを防止できる。したがって、棒状の製品３の表面３ａに施す加工作業の効率の低下とコストの高騰を防止できる。
【００４８】
また、レール１７などが一対の支持部１６を互いに接離させる。こうすることで、支持部１６が、図１８に示すように、例えば突起１２などをさけて、棒状の製品３の端部３ｂを支持できる。このため、支持部１６間の距離と、各支持部１６の支持片２１の他端部２１ｂ間の間隔を調整することで、多種多様な形状の棒状の製品３を、長手方向が水平方向に沿いかつ上面３ｃが水平方向と平行な状態で確実に支持できる。
【００４９】
支持片２１の他端部２１ｂに段部２５を設けている。このため、支持片２１の段部２５より他端部２１ｂ寄りの箇所や、一端部２１ａ寄りの箇所で、棒状の製品３を支持することができる。特に、棒状の製品３が四角柱や四角錐などの角柱や角錐状に形成されている場合に、図１４に示すように棒状の製品３の角部を上方に位置付けたり、図１３に示すように棒状の製品３の平面部を上方に位置付けて、棒状の製品３を支持できる。このように、棒状の製品３を様々な姿勢で支持することができる。
【００５０】
回転連動部２３により一対の支持片２１を連動させて回転することができる。このため、長手方向が水平方向に沿いかつ上面３ｃが水平方向と平行な状態で棒状の製品３を確実でかつ容易に支持できる。
【００５１】
また、回転操作部２４により、容易に支持片２１を連動させて回転できる。このため、支持する棒状の製品３の形状の変更に対応して、各支持部１６の支持片２１の他端部２１ｂ間の間隔を容易に変更できる。したがって、支持治具１は、棒状の製品３の変更に速やかに対応でき、棒状の製品３の表面３ａに施す加工作業の効率の低下をより確実に防止できる。
【００５２】
回転連動部２３は、支持片２１の一端部２１ａと一体に回転するとともに互いに噛み合った一対の歯車３１ａ，３１ｂを備えている。このため、回転連動部２３は、一対の支持片２１を、一端部２１ａを中心として連動して容易でかつ確実に回転させることができる。
【００５３】
また、回転操作部２４が、回転連動部２３の一対の歯車３１ａ，３１ｂのうち一方と一体に回転するウォームホイール３３と、このウォームホイール３３と噛み合ったウォーム３４とを有したウォームギヤ３２を備えている。このため、ウォームギヤ３２のウォーム３４を回転させることで、一対の支持片２１を互いに連動して、一端部２１ａを中心として容易でかつ確実に回転させることができる。
【００５４】
前述した実施例では、各支持片２１に段部２５を一つ設けている。しかしながら、本発明では、各支持片２１に段部２５を複数設けても良い。
【００５５】
なお、前述した実施例は本発明の代表的な形態を示したに過ぎず、本発明は、実施例に限定されるものではない。即ち、本発明の骨子を逸脱しない範囲で種々変形して実施することができる。
【００５６】
前述した実施例によれば、以下の棒状製品支持治具１が得られる。
（付記１）  棒状の製品３の両端部３ｂを支持して、該棒状の製品３の上面３ｃを水平方向に平行な状態で、棒状の製品３を支持する棒状製品支持治具１において、
前記棒状の製品３の端部３ｂを支持する支持部１６を一対備え、
前記支持部１６は、それぞれ、一端部２１ａを中心として回転自在に連結されかつ前記一端部２１ａを中心として回転することで他端部２１ｂが互いに接離する一対の支持片２１を備え、一対の支持片２１間に前記棒状の製品３の端部３ｂを位置付けて、該棒状の製品３を支持するとともに、
一対の支持部１６は、互いに独立して、一対の支持片２１が一端部２１ａを中心として回転することを特徴とする棒状製品支持治具１。
【００５７】
（付記２）  前記一対の支持部１６を互いに接離自在に支持するレール１７を備えたことを特徴とする付記１記載の棒状製品支持治具１。
【００５８】
（付記３）  前記支持部１６それぞれの一対の支持片２１の他端部２１ｂには、支持片２１の一端部２１ａから他端部２１ｂに向かうにしたがって、支持片２１間の間隔を段階的に拡げる段部２５が形成されていることを特徴とする付記１または付記２記載の棒状製品支持治具１。
【００５９】
（付記４）  前記支持部１６それぞれの一対の支持片２１を互いに連動して一端部２１ａを中心として回転させる回転連動部２３と、
前記回転連動部２３と接続して、該回転連動部２３に一対の支持片２１の一端部２１ａを中心として回転させる回転操作部２４と、を備えたことを特徴とする付記１ないし付記３のうちいずれか一項に記載の棒状製品支持治具１。
【００６０】
（付記５）  前記回転連動部２３は、互いに噛み合いかつそれぞれが支持片２１の一端部２１ａと連動して回転する一対の歯車３１ａ，３１ｂを備え、
前記回転操作部２４は、前記一対の歯車３１ａ，３１ｂのうち一方と連動して回転するウォームホイール３３と、該ウォームホイール３３と噛み合うウォーム３４と、を備えたことを特徴とする付記４に記載の棒状製品支持治具１。
【００６１】
付記１に記載された本発明によれば、棒状の製品３の両端部３ｂを支持する支持部１６が、それぞれ一端部２１ａを中心として回転自在に連結された一対の支持片２１を備えている。支持片２１は、一端部２１ａを中心として回転することで、他端部２１ｂが互いに接離する。支持部１６は、支持片２１間に棒状の製品３の端部３ｂを位置付けて、該棒状の製品３を支持する。また、支持部１６は、互いに独立して、支持片２１が一端部２１ａを中心として回転する。
【００６２】
このため、棒状製品支持治具１は、一端部２１ａを中心として支持片２１を回転して、支持片２１の他端部２１ｂ間の間隔を、支持部１６毎に調整することができる。このため、棒状製品支持治具１は、支持部１６毎に支持片２１の他端部２１ｂ間の間隔を調整して、例えば、円柱、円錐、切頭円錐状、角柱、角錐、切頭角錐状などの各種の形状をなしている棒状の製品３を、長手方向が水平方向に沿いかつ上面３ｃが水平方向と平行な状態に支持できる。
【００６３】
このため、棒状製品支持治具１は、支持する棒状の製品３の形状が変更になっても、交換する必要が生じない。このため、棒状の製品３の表面３ａに各種の加工を施す作業の効率が低下することを防止できる。また、棒状の製品３の形状に応じて、棒状製品支持治具１を複数種設ける必要がないので、該棒状製品支持治具１を格納しておくためにかかるスペースや、棒状製品支持治具１の品番を管理するためにかかる手間が増加することを防止できる。したがって、棒状の製品３の表面３ａに施す加工作業の効率の低下とコストの高騰を防止できる。
【００６４】
付記２に記載された本発明によれば、レール１７が一対の支持部１６を接離させる。こうすることで、支持部１６が、例えば棒状の製品３の表面３ａに設けられた突起１２などをさけて、棒状の製品３の端部３ｂを支持できる。このため、支持部１６間の距離と、各支持部１６の支持片２１の他端部２１ｂ間の間隔を調整することで、多種多様な形状の棒状の製品３を、長手方向が水平方向に沿いかつ上面３ｃが水平方向と平行な状態で確実に支持できる。
【００６５】
付記３に記載された本発明によれば、支持片２１の他端部２１ｂに段部２５を設けている。このため、支持片２１の段部２５より他端部２１ｂ寄りの箇所や、一端部２１ａ寄りの箇所で、棒状の製品３を支持することができる。特に、棒状の製品３が四角柱や四角錐などの角柱や角錐状に形成されている場合に、棒状の製品３の角部を上方に位置付けたり、棒状の製品３の平面部を上方に位置付けて、棒状の製品を支持できる。このように、棒状の製品３を様々な姿勢で支持することができる。
【００６６】
付記４に記載された本発明によれば、回転連動部２３により一対の支持片２１を連動させて回転することができる。このため、長手方向が水平方向に沿いかつ上面３ｃが水平方向と平行な状態で棒状の製品３を確実に支持できる。また、回転操作部２４により、容易に支持片２１を連動させて回転できる。このため、支持する棒状の製品３の変更に対応して、各支持部１６の支持片２１の他端部２１ｂ間の間隔を容易に変更できる。したがって、棒状の製品３の変更に速やかに対応でき、棒状の製品３の表面３ａに施す加工作業の効率の低下をより確実に防止できる。
【００６７】
付記５に記載された本発明によれば、回転連動部２３が支持片２１の一端部２１ａと連動して回転するとともに互いに噛み合った一対の歯車３１ａ，３１ｂを備えている。このため、回転連動部２３は、一対の支持片２１を、一端部２１ａを中心として連動して容易でかつ確実に回転させることができる。
【００６８】
また、回転操作部２４が、回転連動部２３の一対の歯車３１ａ，３１ｂのうち一方と連動して回転するウォームホイール３３と、このウォームホイール３３と噛み合ったウォーム３４とを有したウォームギヤ３２を備えている。このため、ウォームギヤ３２のウォーム３４を回転させることで、一対の支持片２１を互いに連動して、一端部２１ａを中心として容易でかつ確実に回転させることができる。
【図面の簡単な説明】
【図１】本発明の一実施例にかかる棒状製品支持治具を備えた棒状製品加工装置の概略の構成を示す説明図である。
【図２】図１に示された棒状製品支持治具の斜視図である。
【図３】図２に示された棒状製品支持治具を側方からみた斜視図である。
【図４】図２に示された棒状製品支持治具の一対の支持部が互いに近づいた状態を示す斜視図である。
【図５】図４に示された棒状製品支持治具の一対の支持部が互いに離れた状態を示す斜視図である。
【図６】図２に示された棒状製品支持治具の平面図である。
【図７】図６に示された棒状製品支持治具を一部断面で示す側面図である。
【図８】図６に示された棒状製品支持治具のベース台を示す平面図である。
【図９】図８中のＩＸ−ＩＸ線に沿う断面図である。
【図１０】図７に示された棒状製品支持治具が円柱状の棒状の製品を支持する状態を模式的に示す側面図である。
【図１１】図１０に示された円柱状の棒状の製品を支持した棒状製品支持治具を矢印ＸＩ方向からみた図である。
【図１２】図７に示された棒状製品支持治具が三角柱状の棒状の製品を支持する状態を模式的に示す側面図である。
【図１３】図７に示された棒状製品支持治具が四角柱状の棒状の製品を支持する状態を模式的に示す側面図である。
【図１４】図７に示された棒状製品支持治具が他の四角柱状の棒状の製品を支持する状態を模式的に示す側面図である。
【図１５】図７に示された棒状製品支持治具が切頭円錐（円錐台）状の棒状の製品を支持する状態を模式的に示す側面図である。
【図１６】図１５に示された切頭円錐（円錐台）状の棒状の製品を支持した棒状製品支持治具を矢印ＸＶＩ方向からみた図である。
【図１７】図７に示された棒状製品支持治具が切頭三角錐（三角錐台）状の棒状の製品を支持する状態を模式的に示す側面図である。
【図１８】図１１に示された棒状製品支持治具が突起を有する円柱状の棒状の製品を支持した状態を説明する図である。
【図１９】本発明の棒状製品支持治具で支持される円柱状の棒状の製品を示す斜視図である。
【図２０】本発明の棒状製品支持治具で支持される三角柱状の棒状の製品を示す斜視図である。
【図２１】本発明の棒状製品支持治具で支持される四角柱状の棒状の製品を示す斜視図である。
【図２２】本発明の棒状製品支持治具で支持される突起を有する円柱状の棒状の製品を示す斜視図である。
【図２３】本発明の棒状製品支持治具で支持される切頭円錐（円錐台）状の棒状の製品を示す斜視図である。
【図２４】本発明の棒状製品支持治具で支持される切頭三角錐（三角錐台）状の棒状の製品を示す斜視図である。
【符号の説明】
１  棒状製品支持治具
３  棒状の製品
３ｂ  端部
３ｃ  上面
１６  支持部
１７  レール（接離支持手段）
２１  支持片
２１ａ  一端部
２１ｂ  他端部
２３  回転連動部（回転連動手段）
２４  回転操作部（回転操作手段）
２５  段部
３１ａ，３１ｂ  歯車
３３  ウォームホイール
３４  ウォーム
【図１】
2005059864.tif 000003
【図２】
2005059864.tif 000004
【図３】
2005059864.tif 000005
【図４】
2005059864.tif 000006
【図５】
2005059864.tif 000007
【図６】
2005059864.tif 000008
【図７】
2005059864.tif 000009
【図８】
2005059864.tif 000010
【図９】
2005059864.tif 000011
【図１０】
2005059864.tif 000012
【図１１】
2005059864.tif 000013
【図１２】
2005059864.tif 000014
【図１３】
2005059864.tif 000015
【図１４】
2005059864.tif 000016
【図１５】
2005059864.tif 000017
【図１６】
2005059864.tif 000018
【図１７】
2005059864.tif 000019
【図１８】
2005059864.tif 000020
【図１９】
2005059864.tif 000021
【図２０】
2005059864.tif 000022
【図２１】
2005059864.tif 000023
【図２２】
2005059864.tif 000024
【図２３】
2005059864.tif 000025
【図２４】
2005059864.tif 000026